(57)【要約】      （修正有）【課題】洗濯物の効率的な干し場を提供するとともに、その際発生する電磁波を吸収するアンテナを提供する。【解決手段】洗濯物を洗濯竿に効率良く掛けて、その下にそれに沿って往復移動する高周波（２４５０ＭＨｚ）発生機を設けて、その電波を当て、場合によっては反射板などを設けて、適当に通風して、乾燥できるようにし、その電波の倉外への漏洩を木炭ボードなどで防止するようにした、洗濯業用の洗濯物乾燥倉および病院など用の洗濯物乾燥庫。【選択図】なし【特許請求の範囲】
【請求項１】
遠心型脱水機などで脱水した洗濯物をハンガーなどに掛けて洗濯竿に吊るし、その下に竿に沿って往復移動する高周波電波（２４５０ＭＨｚ）発生機を設け、その発生電波を真上の洗濯物の列の夫々に次々に当てるようにし、その発生電波を反射して洗濯物に当てるよう金属反射板の被いを設けても宜しい、このような機能を受ける洗濯物の列を適当数配置して、電動ファンで以て適当な風を通すように吸排気するようにし、電波の外部への漏洩は、「請求項２」のポリエチレンボードや「請求項３」の木炭ボードなどを用いて吸収遮蔽するようにした、洗濯業用の洗濯物乾燥倉および病院など用の洗濯物乾燥庫。
【請求項２】
ポリエチレン（は−ＣＨ２−基だけで出来ているため、高周波絶縁材料としてもＣの連鎖を中心に対称性であるため、あらゆる材料の中で最も優れた性能を示している（「万有百科大事典・化学・５９２頁」））を原料とするプラスチック板およびその板を木製の板などで以て挟んで、化粧する或いは強化するなどした、ポリエチレンボードと呼ぶことにする、高周波電波吸収板。
【請求項３】
木炭などの無定形炭素の粉末とゼラチンや澱粉などの「繋ぎ」と水などとを混合して板状に延ばして固めた板を木材板などで以て挟んで、強化したり化粧したりした、カーボンボードと呼ぶことにする、高周波電波吸収板。
【請求項４】
「請求項２」における「高周波電波吸収板」と同じ目的のために、ポリエチレン繊維の布地やニット地やニット糸などで以て、蚊帳のような電波帳や頭に被る電波頭巾などに制作した、ＲａｄｉｏＡｂｓｏｒｂＮｅｔやＲａｄｉｏＡｂｓｏｒｂＨｏｏｄなどと呼ぶことにする、高周波電波吸収繊維製品。
【請求項５】
「請求項２」における「高周波電波吸収板」と同じ目的に使用するために、ポリエチレン繊維を綿状にした、ＲａｄｉｏＡｂｓｏｒｂＷｏｏｌと呼ぶことにする、高周波電波吸収綿およびその綿製品。
【請求項６】
「請求項２」における「高周波電波吸収板」と同じ目的に使用するために、ポリエチレンのフィルムをガラス板に張り付けうるようにした、ＲａｄｉｏＡｂｓｏｒｂＦｉｌｍと呼ぶことにする、高周波電波吸収膜。
【請求項７】
「請求項２」における「高周波電波吸収板」と同じ目的に使用するために、ポリエチレンの板を二枚のガラス板に挟んで接着した、自動車や住宅やビルなどのガラス窓用の、ＲａｄｉｏＡｂｓｏｒｂＧｌａｓｓＢｏａｒｄと呼ぶことにする、高周波電波吸収ガラス板。
【請求項８】
「請求項２」から「請求項７」までにおける「高周波電波吸収板または高周波電波吸収繊維製品」で以ては吸収できないそれよりは波長の短い超高周波電波を吸収するために鉛の板をその他の金属板や木材板などで以て挟んだ、ＲｅｉｎｆｏｒｃｅＬｅａｄＢｏａｒｄと呼ぶことにする、超高周波電波吸収鉛板。
【請求項９】
「請求項８」における「超高周波電波吸収鉛板」と同じ目的のために、鉛化合物で粉末となるものを、プラスチックに混入して板状にしたもの或いはそれを金属板あるいは木材板に挟んだ、ＰｌａｓｔｉｃＬｅａｄＢｏａｒｄと呼ぶことにする、超高周波電波吸収鉛板。
【請求項１０】
「請求項８」における「超高周波電波吸収鉛板」と同じ目的のために、明り取り用として「鉛アルカリ珪酸ガラス」を使用する方法。
【請求項１１】
「請求項２」から「請求項１０」までにおける「高周波電波吸収炭素体」あるいは「超高周波電波吸収鉛体」における電波吸収作用を応用して、即ち、不定形炭素物質あるいは鉛物質を以て、電磁波を構成する磁界と電界の内電界から「静電誘導電流」を引き出すように、電界波高と同じ長さの、管が或いは巻き幅のコイルを以て空中線（誘導電流発生器）とするようにした、四族元素アンテナと呼ぶことにする、静電誘導式受信用アンテナ。
【請求項１２】
「請求項１１」における受信アンテナとは異なって、電磁波における磁界から電磁誘導電流が発生するように、通常電線物質で以て、磁界波高と同じ長さの巻き幅のコイルを以て空中線とするようにした、コイルアンテナと呼ぶことにする、電磁誘導式受信用アンテナ。
【請求項１３】
「請求項１１」における「静電誘導式受信アンテナ」と「請求項１２」における「電磁誘導式受信アンテナ」とを十字型に組み合わせた、静電・電磁両誘導型受信アンテナ。
【請求項１４】
「請求項１３」における「静電・電磁誘導式アンテナ」と同じ目的のものとして、錫か或いは鉛か又はこの両者の合金かで成る、波高の高さの直径のそして波長の長さの巻き幅のコイルで以てする、静電・電磁両誘導式アンテナ。
【発明の詳細な説明】
【発明の詳細な説明】
私は独り者で、毎日、このような発明の著述に追い捲られているので、出来ることなら、洗濯物を総て手頃な料金で以て洗濯して貰いたい。洗濯屋で訊いてみると、カッターは９５円であるのに、半袖ポロシャツは２６０円だと言う。
カッターは前が全開なので、アイロン掛けがしやすく同時に乾燥も出来るが、ポロシャツは筒状なので、アイロンでは乾かし難いらしい。
洗濯工場に屋根を掛けた広い干場を併設しても宜しいのであるが、夏期は兎も角冬期には二三日も掛かるので、これでは商売にならない。
そこで、発明したのが本発明である。
従来の病院などの大乾燥室などは、室を密閉式的にし、室全体を暖め、湿気をゆっくり逃がして、長時間掛けて乾燥していた。干し物の条件は、熱を加えて蒸発させ、そこに風を送って、湿気を追い払うと言うのがこれまでの一般的な方法であった。この他に、乾燥室を真空化して蒸発を促し、その湿気を追い出してはまた真空化すると言う方法がある。
太陽光の内、可視光は水分に吸収されずそれを暖めないが、赤外光は水分に吸収されてそれを暖める。従って、戸外に洗濯物を干す場合には、赤外光で以て温まり、蒸発するので、その蒸気が干し物の周りを占めて赤外光を吸収しては、干し物に当たる赤外光が少なくなる。風が欲しい訳である。
ところが、赤外光は繊維を透過しない。その分時間が掛かる。表面が乾くとそこに、水分が滲んでいって、それが蒸発すると言う現象を繰り返すのであろう。
そこで、私は、予てから、空気や繊維などは透過して、水分だけを加熱するので、例えば、部屋などのその周りを温めて、蒸発を促進する必要がない。つまり、屋外で、日光で以て乾燥するように、必要なだけの風は一杯に送りうる。
屋内乾燥はこれに限るのである。しかし、この高周波が人体や動植物の神経や肉体に、程度が強い場合には甚大な危害を与える。今日の我国は、明らかに放送通信電波の過剰で、国民の誰もが心身に苦痛なほどのｕｎｗｅｌｌを毎日連続して体験している。それは、一言で言えば、身体が内外部共に加熱され乾燥状態に陥ることから来る苦しさである。言って見れば、全身が芯から低温火傷に陥ることである。
水分を沢山摂る以外にこれはと言う対策法はないが、それが全身に浸透して行くには、適当な心悸亢進しかないが、それには、興味の持てる仕事や運動と理想を実現する夢に燃える以外にない。嫉妬から発する闘争は一時的には熱が出るが、人間としての理想とは全く掛け離れたものであるから、やがて、深い悔恨の淵に沈んで行くことになり、心身ともに不活性状態に陥り、この電波にやられてしまうことになる。
Ｙｏｕｔｈ  ｉｓ  ｎｏｔ  ａ  ｔｉｍｅ  ｏｆ  ｌｉｆｅ；  ｉｔ  ｉｓ  ａ  ｓｔａｔｅ  ｏｆ  ｍｉｎｄ；  ｉｔ  ｉｓ  ｎｏｔ  ａ  ｍａｔｔｅｒ  ｏｆ  ｒｏｓｙ  ｃｈｅｅｋｓ，ｒｅｄ  ｌｉｐｓ  ａｎｄ  ｓｕｐｐｌｅ  ｋｎｅｅｓ；  ｉｔ  ｉｓ  ａ  ｍａｔｔｅｒ  ｏｆ  ｔｈｅ  ｗｉｌｌ，  ａ  ｑｕａｌｉｔｙ  ｏｆ  ｔｈｅ  ｉｍａｇｉｎａｔｉｏｎ，  ａ  ｖｉｇｏｒ  ｏｆ  ｔｈｅ  ｅｍｏｔｉｏｎｓ：  ｉｔ  ｉｓ  ｔｈｅ  ｆｒｅｓｈｎｅｓｓ  ｏｆ  ｔｈｅ  ｄｅｅｐ  ｓｐｒｉｎｇｓ  ｏｆ  ｌｉｆｅ．
Ｙｏｕｔｈ  ｍｅａｎｓ  ａ  ｔｅｍｐｅｒａｍｅｎｔａｌ  ｐｒｅｄｏｍｉｎａｎｃｅ  ｏｆ  ｃｏｕｒａｇｅ  ｏｖｅｒ  ｔｉｍｉｄｉｔｙ  ｏｆ  ｔｈｅ  ａｐｐｅｔｉｔｅ，  ｆｏｒ  ａｄｖｅｎｔｕｒｅ  ｏｖｅｒ  ｔｈｅ  ｌｏｖｅ  ｏｆ  ｅａｓｅ．  Ｔｈｉｓ  ｏｆｔｅｎ  ｅｘｉｓｔｓ  ｉｎ  ａ  ｍａｎ  ｏｆ  ｓｉｘｔｙ  ｍｏｒｅ  ｔｈａｎ  ａ  ｂｏｙ  ｏｆ  ｔｗｅｎｔｙ．  Ｎｏｂｏｄｙ  ｇｒｏｗｓ  ｏｌｄ  ｍｅｒｅｌｙ  ｂｙ  ａ  ｎｕｍｂｅｒ  ｏｆ  ｙｅａｒｓ．  Ｗｅ  ｇｒｏｗ  ｏｌｄ  ｂｙ  ｄｅｓｅｒｔｉｎｇ  ｏｕｒ  ｉｄｅａｌｓ．
青春とは、人生における一時期を言うのではない、精神の在り方を言うのだ。つまり、不退転の意志、豊富な想像力、燃え上がる情熱、これらこそ何時までも青春を保つ源である。青春とは、安逸を貪る無気力に打ち勝つ卓越した勇猛心を言う。この勇猛心は、どちらかと言うと、二十歳の人よりも七十歳の人に有ることが多い。人は、年には因らず理想を捨てることによって老いて行く。
Ｙｅａｒｓ  ｍａｙ  ｗｒｉｎｋｌｅ  ｔｈｅ  ｓｋｉｎ  ｂｕｔ  ｔｏ  ｇｉｖｅ  ｕｐ  ｅｎｔｈｕｓｉａｓｍ  ｗｒｉｎｋｌｅｓ  ｔｈｅ  ｓｏｕｌ．  ｗｏｒｒｙ  ｆｅａｒ  ｓｅｌｆ−ｄｉｓｔｒｕｓｔ  ｂｏｗｓ  ｔｈｅ  ｈｅａｒｔ  ａｎｄ  ｔｕｒｎｓ  ｔｈｅ  ｓｐｉｒｉｔ  ｂａｃｋ  ｔｏ  ｄｕｓｔ．
ｗｈｅｔｈｅｒ  ｓｅｖｅｎｔｙ  ｏｒ  ｓｅｖｅｎｔｅｅｎ，  ｔｈｅｒｅ  ｉｓ  ｉｎ  ｅｖｅｒｙ  ｈｕｍａｎ  ｂｅｉｎｇ’ｓ  ｈｅａｒｔ  ｌｕｒｅ  ｏｆ  ｗｏｎｄｅｒ，ｔｈｅ  ｕｎｆａｉｌｉｎｇ  ｃｈｉｌｄ−ｌｉｋｅ  ａｐｐｅｔｉｔｅ  ｏｆ  Ｗｈａｔ’ｓ  ｎｅｘｔ，  ａｎｄ  ｔｈｅ  ｊｏｙ  ｏｆ  ｔｈｅ  ｇａｍｅ  ｏｆ  ｌｉｖｉｎｇ，Ｉｎ  ｔｈｅ  ｃｅｎｔｅｒ  ｏｆ  ｙｏｕｒ  ｈｅａｒｔ  ａｎｄ  ｍｙ  ｈｅａｒｔ  ｔｈｅｒｅ  ｉｓ  ａ  ｗｉｒｅｌｅｓｓ  ｓｔａｔｉｏｎ；  ｓｏ  ｌｏｎｇ  ａｓ  ｉｔ  ｒｅｃｅｉｖｅｓ  ｍｅｓｓａｇｅｓ  ｏｆ  ｂｅａｕｔｙ，  ｈｏｐｅ  ｃｈｅｅｒ  ｃｏｕｒａｇｅ  ａｎｄ  ｐｏｗｅｒ  ｆｒｏｍ  ｍｅｎ  ａｎｄ  ｆｒｏｍ  ｔｈｅ  Ｉｎｆｉｎｉｔｅ，  ｓｏ  ｌｏｎｇ  ａｒｅ  ｙｏｕｎｇ．  ｗｈｅｎ  ｔｈｅ  ａｅｒｉａｌｓ  ａｒｅ  ｄｏｗｎ，ａｎｄ  ｙｏｕｒ  ｓｐｒｉｔ  ｉｓ  ｃｏｖｅｒｅｄ  ｗｉｔｈ  ｓｎｏｗｓ  ｏｆ  ｃｙｎｉｃｉｓｍ  ａｎｄ  ｔｈｅ  ｉｃｅ  ｏｆ  ｐｅｓｓｉｍｉｓｍ，  ｔｈｅｒｅ  ｉｓ  ｈｏｐｅ  ｙｏｕ  ｍａｙ  ｄｉｅ  ｙｏｕｎｇ  ａｔ  ｅｉｇｈｔｙ．
しかし、人は、明日を求めて、生存競争を生き抜こうとする純粋な生存本能を持っている。あなたたちの心の中にそして私の心の中にある電波装置を以て、私が、多くの人々や神の、美や夢や慰めや勇気や力の呼び掛けを伝えている限り、あなた達は、若さを保ち続ける。しかし、電波装置の私の呼び掛けが弱くなって、あなた達が世を妬み厭うようになれば、あなた達は、譬え二十歳でも老いが始まる。しかし、その落ちた電波から、あなた達が努力して、夢を汲み取れば、八十歳まで若さを保って生きられるかも知れない。
これは、サムエル・ウルマン（１８４０〜１９２４）の詩「青春」である。これから判るように、１８６０年に起った「南北戦争」の時には、この電波装置は、アメリカ大陸に存在していたようである。ウルマンは南軍方として戦ったが、敗れた。そうして、恐らくそうであろうが、主として、敗軍の黒人兵の多くが強制に近い形で労働に供させられていたのであろう。その人たちに対して、ウルマンは、自分の声を電波に乗せて、人生設計の理想や夢を人間は如何にあるべきから語り掛けていたのであろう。殆どラジオ放送のようなもので、今の我々がそうであるように、受信機なしで、直接頭脳で以て聞いていたのであろう。
今日の日本のような、普通選挙は行なわれていない時代であったから、労働者を互いに啀み合わさなくてもよかったのであろう。日本では、もう４０年間も、この電波で以て理想や希望を語るものは、私以外にいないようであるが、南北戦争が終って２０年経った鉄鋼業の街アラバマ州のバーミンガムでは、労働者は、労働に堪えることは、理想と希望を追求することと正に同意語であったようである。
今日の日本においても、ウルマンが受けたような待遇が、理想と希望を語る人たちには、国民からも公的私的機関の各代表者からも受けられる、人間社会としてあるべき本来の姿でありたいものである。若し、これが求められないような国家の人事構造となっているのであれば、国民は、彼らに踊らせ続けられるのではなく、人事構造そのものを革新しなくてはならないし、そう努力できない者は、不正に陶酔する熱狂の中で魂に皺が寄り若くしてこの世を去らなくてはならないであろう。
生きると言うことは、知性のない者には理想と希望が独力では掴み出しえず、大変な苦しみであるらしい。ウルマンが言うように、誰かその人たちに、兎に角正しく生きる努力をすれば、きっと何れか夢の叶えられる時が来ると語り掛けてくれる人の存在が必要なのに違いない。
私の７０年近い人生において、そう言う夢を現実を誤魔化すことなく国民に語りえた政治家は「池田勇人首相」ただ一人であった。
私は、彼の享年をもう上回ってしまったが、「現実を正しく認識して、その革新すべきところに具体的に、愛情と知性と信義を以て、対応して行ける政治家にもなって見たいと思っている。兎に角、このままでは、国民の多くが、理想と希望を持つようになることが出来ず、シニシズムとペシミズムの淵深く沈んでしまい、国は自律自立不可能に陥り、戦争はしなくても、マッカーサーのような「理想主義者」に再生の夢を託さなくてはならなくなるであろう。
さて、私は、２５年くらい前だったか、鋼鉄製の物置きの中に入って扉を閉めて見たことがあるが、私を追い掛け回す電波を遮ることは出来なかった。そして、この前、再び、農協の庭の物置きで試して見たが、同じように、遮蔽効果はなかった。
また、もう１５年も前になるが、電電公社を退職した人が自宅の周囲を屋根より少し高い鋼板で以て囲って見たが、全く効果はなく、どのように紐に憑かれるたのか知らないが、とうとう首を吊って自殺してしまった。
このようなことから、私の知っている限りでは、一般の金属は、ラジオやテレビや電子レンジの電波は透さないが、人の脳に食い込む電波や人の脳を盗む電波は普通の金属板は難なく透過する。
私の高校時代の参考書には、「電磁波は導体で反射され、波長が長い程反射され易い（「要訣物理・英文堂・昭和２８年・３１２頁」）」とあるから、どうも、政治に使って、国民をばらばらにし、啀みみ合せる電波は、光より波長の短いレントゲンに近い波長の電磁波のように思われる。
しかし、一般の電波即ちラジオ用の中波５５０ＫＨｚ〜１６００ＫＨｚ、短波４ＭＨｚ〜１２ＭＨｚ、超短波７５ＭＨｚ〜９０ＭＨｚ、テレビ用の超短波９０ＭＨｚ〜２２０ＭＨｚ、極超短波６００ＭＨｚ〜７７０ＭＨｚ、ケイタイ用の極超短波８００ＭＨｚ、１５００ＭＨｚ、１９００ＭＨｚおよび２０００ＭＨｚなどであるが、電波法では、３００万ＭＨｚ以下の電磁波を電波と呼んでいる。ここで、最短の３００万ＭＨｚはもう光の領域であり、赤外線に属する。
従って、先に述べた、送受信機なしで、人と人とを会話させうる電磁波は、電波法では、規定されていないことになる。
しかし、放送法には、第二条二の四項に、「超短波放送とは、３０ＭＨｚを超える周波数を使用して音声その他の音響を送る放送（文字、図形その他の映像又は信号を併せ送るものを含む。）であって、テレビジョン放送に該当せず、かつ、他の放送の電波に重畳して行う放送でないものをいう」とある。
従って、３０ＭＨｚ以上の電磁波には、可視光線や紫外線のみならず軟Ｘ線やＸ線も含まれるように思われる。
光までの周波数の電磁波は、金属などの一部の物を除いては殆どの物を透すが、光は、透明な物以外は透過しない。しかし、Ｘ線は薄いものでは、鉛以外のものは殆ど透過する。
そして、生体に当たると、生体をイオン化して、導電性を高める。これらのことから、送受信機を必要とせず、通信させることを可能させる電波は、どうも光より波長の短い、０．１０〜１００Å即ち１×１０−８〜１×１０−５ｍｍのＸ線ではないかと思われる。然も、このＸ線のうち波長の艮いものを軟Ｘ線短いものを硬Ｘ線と呼ぶが、軟Ｘ線は、空中などで吸収されるが、硬Ｘ線は、そう言うことはなく殆どのものを透過すると言うので、無装置通信に使用されている電磁波は、２〜３Å以下の硬Ｘ線かと思われる。
そこで、その遮蔽対策資材として、「特許請求の範囲」に述べているような鉛板と鉛珪素ガラスなどを考えたのである。
さて、電子レンジ（２４５０ＭＨｚ）に代表されるように、超高周波には乾燥作用がある。前に述べたように、今日は、電波法による電波だけでも、昔のＮＨＫラジオしかなかった時代に比べれば、莫大な電波量に達している。
これが、人間生活と動植物生活をめためたに破壊していることは、少し自然な環境に生活している人たちならば、誰もが知っている。何故、われわれは、眼が痛かったり霞んだりの乾燥刺激を毎日連日受けねばならないのであろうか。
この一事を見ても、通信や放送が使われようが使われまいが、しょっちゅう超大量に垂れ流されていなくてならないのだろうか。私は、携帯や自動車など用以外のものは、全て有線化するべきだと、その方法を発明して提唱している。
しかし、現実には、政府と業界にその気運はなく、益々大量の電波を垂れ流すべく放送や通信にデジタル化を進めている。それでは、国民の電波公害は、益々酷くなるばかりである。
住宅やビルや工場などを可能なところがら有線化して行くと共に、戸外の電波の侵入を遮断し公害防衛しなくてはならない。
この光までの波長の電波に対しては、私は、吸収には炭素物質が反射にはステンレスやジュラルミンなどが良いと思う。そこで、「特許請求の範囲」におけるような発明を提案した次第である。
以上に述べた電磁波吸収物質は、元素周期表の第４族Ｂの炭素族に属している。今、空き巣泥棒に化学の教科書を全て盗まれて、この族が共有している化学的物理的性質を明記することが出来ないが、確か、結晶の在り方に電磁波吸収の秘密があったように記憶している。第４族Ｂには、Ｃ（カーボン）、Ｓｉ（シリコン）、Ｇｅ（ゲルマニウム）、Ｓｎ（チン＝錫）、Ｐｂ（リード＝鉛）がある。
そこで、これらの元素が電波を吸収すると、どうなるか正確には、実験して見た訳ではないので、はっきりしたことは判らないが、電子レンジが水分を加熱するように、一般には、熱を発するに違いない。そこに負荷を繋ぐと、電流が流れるのではないか思った。
そこで、この仮定現象をアンテナに応用できないかと、アンテナの現姿を思い出した。テレビアンテナは、所謂ヤギアンテナと呼ばれているもので、導波器、放射器、反射器から成っている。材質は、よく判らないが、アルミのようである。前に述べたように、「電磁波は導体で反射され、波長が長い程反射され易い」からすれば、導波器や反射器の機能は有りうるとは思うが、放射器（空中線とも呼ばれている）は、電波を弾いてしまって、誘導電流が発生しないのではないがと思われる。
一般に、電磁誘導は、磁力線に対してコイルで以て行われている。受信アンテナ効果は、コイルで以てするべきではないか思われる。ヤギアンテナでは、放射器の長さは波長に比例しうることを前提としている。しかし、コイルに磁石を作用させる場合、コイルの巻き幅と巻き数がベースとなる。磁力線のＮ極からＳ極への流れを一杯に受けるようにするのが常識である。
これからすると、遣ってくる電波の磁界の波の高さを一杯に受けるコイルこそ電磁誘導アンテナには必要であると思われる。そして、電波は、距離の２乗に反比例して薄くなるので、それに従ってコイルの直径を太くして行く必要があろう。
そして、電波の内の電界は、静電誘導を起こすのではないかと思われる。摩擦によって発生した静電気を箔検電器に近づけると、箔が開く。その場合静電気は針金を伝わる。私は、これは、針金を高電圧・微電流が流れて起きるのではないかと思う。即ち、静電誘導を起こさないと言われている導体でも、場合によっては、静電誘導電流を発生するのではないかと思う。
そこで、電界を受けるアンテナと言うものが開発できるように思われる。それには、電波吸収物質である上述の第４族Ｂの元素で以て静電誘導アンテナを創ると宜しいのではないかと思われる。炭素は、一応導体であるが、固有抵抗値が大きく、ジュール熱化する率が高いし、シリコンやゲルマニュウムは半導体であり、よりジュール熱化して、損である。
そこで、抵抗の少ない錫や鉛を使用するべきことになる。鉛が電波吸収力が一番あるが、兎に角重いので、電磁波の性質によっては、錫を合わせるのが宜しいかろう。
このアンテナは、棒や管でも行けそうであるが、私は、電磁誘導の場合と同じように、コイルにするのが良いのではないかと思っている。その巻き幅は電界波高を一杯に受けられるようにするべきである。
従来の通念では、波長の長い電波は波高が高いとされるようになっていた。波長に関係なく、波高を低く出来るものなら有り難いのだが。
なお、前掲の「要訣物理」によると、「絹糸で水平につるされた電気を帯びていない導体の棒Ａに、帯電体Ｂを近づけると、Ａの、Ｂに近い端にはＢと反対の電気が現われ、Ｂに遠い端にはＢと同符号の電気が現れる、このように、物体に帯電体を近づけただけで、物体が帯電する現象を静電誘導（又は感応）と言う。
これからすると、上述の静電誘導アンテナに電界がプラスの山とマイナスの谷から成る波となって遣ってくると、プラス側が遣ってきた場合には、アンテナのその当たる側の端にマイサス電流が、同様に、マイナス側が遣ってきた場合には、アンテナのその側の端にプラス電流が発生することになるのではあるまいか。
これと同じことは、遣ってくる磁界によって発生する電磁誘導電流に就いても言えるのではあるまいか。
また、ここまで述べたと同様な成果をうるには、錫や鉛やその両者の合金で以て、波高の長さの直径と波長の長さの巻き幅のコイルを以てアンテナとすると宜しいのではないかと思われる。
これまでの変調方式であるＡＭやＦＭにおいて、タジオのフェライトアンテナやホイップアンテナそしてテレビのヤギアンテナなどで十分なのか、私には理解できない。即ち、ヤギアンテナでは放射器（誘導器）は言ってみればただの一本の細い棒にしか過ぎず、それに例えば７００ＭＨｚの波長４２８．５７ｍｍの磁界の波が当たって来る場合、波高は幾らかわからないが、山の低い所も高い所も５ｍｍくらいの直径の棒に垂直に作用する磁気エネルギーを分け知る即ち同じ周波数電流がそこに発生すると言うのである。山の高い所のエネルギーもその分ちゃんと分け知る大きさがなくてはそれを誘導することは出来ないのではあるまいか。
その十分な大きさを可能にする方法でも、本発明はある訳である。本当に本発明が実用的なものであれば、５ｍｍ直径くらいの一本の棒より遙に誘導面積が広い訳であるから、その分、発信電力を低下させえて、今日の放送電波の生物に対する乾燥公害を大幅に軽減できるのではあるまいか。
そこで、放送電波の現状での加害性を考察して見たい。今、１００ｋｍもの遠くで受信可能に一様な出力で以て発信すると、１ｋｍの所の人は、（１００−１）２＝９８０１倍もの電波露出を受けることになる。今、１００ｋｍの所で０．５ｗを必要とするならば、１ｋｍの所の人は、０．５×９８０１＝４９００．５ｗ＝４．９ｋｗも被ることになる。これでは、その人たちの生存は全く不可能になる。
太陽の熱光線は、１ｍ２で１ｋｗｈである。裸になって受ける面積は０．５ｍ２とすれば、１時間に受ける量は５００ｗｈであるが、実際１時間も当たっておれば、皮膚炎を起してしまい、それ以上耐えることは出来ない。それなのに、上の例の４．９ｋｗを１時間も受けたらどう言うことになるか想像できよう。
ところが、実際は、こんな生易しいものではない。１００ｋｗで各社が放送すると言うのである。それは、太陽光線の限界５００ｗｈを、１０００００ｗｈ÷５００ｗｈ＝２００倍も上回る、即ち、１社だけで、６０×６０秒÷２００＝１８秒で大火傷に遭うことになる。
従って、関東平野一円に、東京タワーから発射するとすれば、半径８０ｋｍの放送エリヤとなろうから、それを１０ｋｍずつの８段階区分に分けて発射するとすれば、その１０キロ圏では、最少受信電波力は０．５ｗであるとすれば、最大電波力は、Ｘ／１０２＝０．５ｗ、Ｘ＝５０ｗとなるから、各１０キロ圏に５０ｗで届くように発射しなくてはならないことになる。
従って、最近の１０キロ圏には５０ｗで、次の１０キロ圏にはＸ／１０２＝５０Ｗ、Ｘ＝５０００ｗ＝５ｋｗで、その次の１０キロ圏にはＸ／２０２＝５０ｗ  Ｘ＝２００００ｗ＝２０ｋｗで、以下同様に、Ｘ／３０２＝５０ｗ、Ｘ＝４５０００ｗ＝４５ｋｗ、Ｘ／４０２＝５０ｗ、Ｘ＝８００００ｗ＝８０ｋｗ、Ｘ／５０２＝５０ｗ、Ｘ＝１２５０００ｗ＝１２５ｋｗ、Ｘ／６０２＝５０ｗ、Ｘ＝１８００００ｗ＝１８０ｋｗ、Ｘ／７０２＝５０ｗ、Ｘ＝２４５０００ｗ＝２４５ｋｗもの大出力を必要とすることになる。
この発射アンテナを東京タワーに設置するとなると、２４５ｋｗの空中線を最上に次々に該当エリアを狙って設置して行かねばならない。これを多くの放送局に許すことは、タワーのスペースからして難しい。
そして、ＶＨＦの周波数帯域は９０〜２２０ＭＨｚであるが、その波長は３．３３ｍ〜１．３６ｍであり、このくらいの高さのコイルか或いは炭素か鉛の管のアンテナを設けなくてはならない。
また、ＵＨＦの周波数帯域は６００〜７００ＭＨｚであり、その波長は５０〜４３ｃｍである。従って、アンテナの高さか水平長さは５０〜４３ｃｍくらいとなり、アンテナの点からは理想的な周波数帯域と言える。しかし、この帯域は１０００００ＫＨｚしかなく、テレビ１チャンネルの帯域は、映像信号・色信号副・音声信号の各搬送波は合せて７５００ＫＨｚであるから、１０００００ＫＨｚ÷７５００ＫＨｚ＝１３から、まあ、６〜７チャンネルは採れそうである。
ＶＨＦは、波長が長いので、テレビ放送には向かいと言える。
これ以上は、私の提案している新しい方式の有線テレビ放送である「サーキットテレビ（ヌーベルケイブルテレビ）」に頼る以外にはないと言えよう。
然も、国民の総てが毎日経験しているように、電波が必要以上に強くなると、人や動物や植物は、精神的にも肉体的にも大変な危害を受ける。人間は精神作用の伝達も肉体作用の伝達も総て発電と消電との関係で以て機能している。コイルに電波を透過したり、炭素管に電波を吸収させたりすれば、電気が発生すると言うのであれば、脳や筋肉にある決まった電波を当てれば吸収されて電流が発生することになり、その電波を色々に加工することによって、色々と人の精神と運動を操縦することも可能であろう。また、可視光線を吸収した木の葉が赤外線を出すように、人体にある一定の電磁波を当てると、人体の変化に応じた別の周波数の電磁波が発生するかも知れない。
このように、人をある一部の者が思いのままに覗き込んで、それを見ながら、思いのままに操縦して、国民を思いのままに搾り上げ、代々その地位を維持しようとしている。この国民の倫理性と経済生活への破壊作用は、もう４０年にも及び、深刻甚大な犯罪者の増大をもたらしている。しかし、現在の政府も地方自治体もこの電波を廃止して、治安の維持を警察の拡大によって回復しようとは決してしない。このまま、ように行き着く所まで行こうと言うのかも知れない。
前に述べたように、多くの人がこの電波の家庭への侵入の犠牲になって、自らの命を絶っている。せめて、外から帰って、家庭においてなりと、他人の干渉から開放され、落ち着いた家族団欒を楽しみたい。この電波からの家庭防衛が洗濯物乾燥倉の電波吸収策で以て可能になるに違いないと思われる。
私は、今日まで、子供時代のラジオ工作の経験から、電波は鉄やアルミや銅などの一般金属板で以て簡単に防げると、そうでは無い経験をしながらも、思って来た。しかし、テーマを抱いた長い勉強の結果、電波は、その波長によって、反射されたり吸収されたり透過したりする物質が異なることを知った。この電波を吸収しない限り、この電波は消えない。その吸収物質は、電気を運ぶ自由電子の役割を果たす遊離電子を持つ物質以外に無いと言いうるのではないかと言うことを発見した。一般的には、その物質は、木炭や煤やコークスなどの無定形炭素と鉛である。そして、その無定形炭素の性質を最も持っている炭化水素ポリエチレンである。しかし、これらの炭素系が光より短い波長の電磁波に有効であるかどうか試してはいない。
ポリエチレンのフィルムやシートやボードなどやその成形品や繊維製品で以て光よりも短いものまで防げるのであれば、こんな幸せはないが、それが不可能ならば、鉛ガラスを含めた鉛製品で以て防ぎたい。
そして、今日、ラジオやテレビやケイタイの電波の過剰も移しい。この過剰状態だけでも、我々は自然な生活環境を破壊されている。これだけを防ぐ目的だけにもポリエチレンを上手に使用したい。
そして、電子レンジや私の発明している「超高周波（２４５０ＭＨｚ）誘電加熱式通風式洗濯物乾燥機」や電波用テレビなどにも本発明上の電磁波吸収物質を上手く使用したい。特に誘電加熱機においては、マグネトロンの出力を下げたものを可なり長時間使用できる調理性の向上したものを本発明上の電磁波吸収物質を使って開発したい。
さて、化繊衣料の全面的な普及によって、袞退に袞退を続けていた洗濯業界は、「ご希望ならば、どんな衣料の洗濯でも、お引き受けします」を挨拶言葉に、その低迷状態から、本発明によって脱出できうることになろう。
この商売が普及して、国民の約半数の６０００万人が１日５００円洗濯代を支払うようにでもなれば、その規模は、年間１１兆円にも達することになる。それは夢のような大産業の出現である。
一般の洗濯業は元より、ホテルや病院や老人ホームなど用のリネン類の洗濯業にも大きな革新を与えるであろう。例えば、紙おむつに代って布おむつが復活しうるかも知れない。
排水処理には法的基準を設け、環境に溶け込んだ立派な業界にしたい。
本発明が可能にした業態に向いた各種の優秀な洗濯機械が色々と各社によって開発されることを期待している。
アメリカにおいて、日本移民の最大の職種は洗濯業であったと聞いている。その袞退の甚だしさは、日本の場合と同様らしい。今日の若い人たちは、人権と言えば一種の不労所得権とでも考えて、自己の社会的劣等性を覆い隠すのに用いているらしいが、熱中できる肉体的単純作業に従事して家庭を持ち維持できるようになることの生き甲斐をこの新しい大産業から、日本のみならずアメリカやヨーロッパの、そう言う若者たちが掴み取ってくれるようになることを期待したい。自己の無能を覆い隠す思想と称するものを弄するに腐心しなくてはならない劣等感から解き放ってくれるものは、打ち込める肉体作業であることを知って貰える機会をここにまた提案できたことは私の些かの自慢である。